(57)【特許請求の範囲】
【請求項１】
装置本体側に設けられたベース部と、
前記装置本体に回動自在に設けられた開閉体に取り付けられている回転部と、
前記ベース部に対して前記回転部を回転自在に支持して、前記装置本体に対する前記開閉体の開閉支点となる支軸と、を備え、
前記ベース部は、前記支軸の周りに形成されたカム面を有し、
前記回転部は、前記支軸に対して接離する方向に移動自在に設けられたスライド部材と、前記スライド部材を付勢して前記カム面に圧接させる付勢部材とを有し、
前記スライド部材は、前記開閉体と共に前記支軸を中心にして回転しつつ前記カム面に摺接し、
前記カム面は、前記開閉体が前記装置本体に対して閉じられる閉成位置から、前記支軸を中心として前記開閉体が前記装置本体に対して開成位置に向かう方向に回転した第１回転角度までの範囲で前記スライド部材に圧接される第１摺接面、前記第１回転角度から、前記開閉体が更に前記開成位置に向かう方向に回転した第２回転角度までの範囲で前記スライド部材に圧接される第２摺接面、前記第２回転角度から、前記開閉体が前記開成位置に回転した第３回転角度までの範囲で前記スライド部材に圧接される第３摺接面を有し、
前記第１摺接面は、前記開閉体が閉じる方向に前記スライド部材を押し返し、前記第２摺接面は、前記開閉体が開く方向に前記スライド部材を押し返し、前記第３摺接面は、前記開閉体が閉じる方向に前記スライド部材を押し返し、
前記カム面に対峙する前記スライド部材の端面には、前記第１摺接面及び前記第２摺接面に摺接する第１凸部と、前記第３摺接面に摺接する第２凸部とが形成された開閉装置。
【請求項２】
前記第２摺接面による前記開閉体が開く方向への前記スライド部材の押し返しにより、前記開閉体の自重による該開閉体の閉じる方向のモーメントに抗して該開閉体の回転角度が維持される請求項１に記載の開閉装置。
【請求項３】
前記第１摺接面及び前記第２摺接面と、前記第３摺接面とは、前記支軸の両側に振り分けられて配置された請求項１又は請求項２に記載の開閉装置。
【請求項４】
原稿を読取る読取部と、
前記読取部上に載置された前記原稿を押える原稿給送部と、を備え、
前記読取部は、請求項１乃至請求項３のいずれか１つに記載の開閉装置における装置本体であり、
前記原稿給送部は、当該開閉装置における開閉体である画像読取装置。
【発明の詳細な説明】
【技術分野】
【０００１】
本発明は、開閉体の開閉装置及び画像読取装置に関し、特に開閉体の開閉操作を補助するための技術に関する。
【背景技術】
【０００２】
この種の開閉装置としては、特許文献１に記載のものがある。ここでは、装置本体に取付け部材を設けると共に、開閉部材に支持部材を設け、取付け部材に対して支持部材をヒンジ軸で回転自在に支持して、装置本体に対して開閉部材を開閉自在に支持している。そして、支持部材側のカムフォロアを取付け部材側のカムに押圧させて、支持部材が受ける反作用力により、開閉部材の自重による該開閉部材の閉じる方向のモーメントに抗して該開閉部材が開放されるようにしている。また、開閉部材が最大開放角度まで開かれたときには、支持部材がストッパーに当たって、開閉部材の開放角度が制限される。
【０００３】
また、特許文献２では、画像読取装置に対して原稿搬送装置をヒンジで開閉自在に支持している。このヒンジは、画像読取装置に設けられた固定部材と、原稿搬送装置に設けられた可動部材と、固定部材に対して可動部材を回転自在に支持する軸とを有している。そして、原稿搬送装置が大きく開かれたときには、可動部材が固定部材のストッパーに当接して、原稿搬送装置の開き角度が制限されるようにしている。
【先行技術文献】
【特許文献】
【０００４】
【特許文献１】特開２００８−２４０９２７号公報
【特許文献２】特開２００３−８７４６３号公報
【発明の概要】
【発明が解決しようとする課題】
【０００５】
しかしながら、特許文献１のように開閉部材が大きく開かれたときに、支持部材がストッパーに当たって、開閉部材の開放角度が制限される構成では、支持部材がストッパーに当たる度に、装置本体、取付け部材、開閉部材、支持部材等が衝撃を受けるので、ねじの緩みや各種部品の位置ずれ等が生じる。
【０００６】
同様に、特許文献２でも、原稿搬送装置が大きく開かれたときには、可動部材が固定部材のストッパーに当たるので、衝撃が生じて、ねじの緩みや各種部品の位置ずれ等が生じる。
【０００７】
本発明は、上記の事情に鑑みなされたものであり、装置本体に対して開閉体が開閉自在に支持された構成において、開閉体が大きく開かれても、衝撃が生じることがない開閉装置及び画像読取装置を提供することを目的とする。
【課題を解決するための手段】
【０００８】
本発明の一局面に係る開閉装置は、装置本体側に設けられたベース部と、
前記装置本体に回動自在に設けられた開閉体に取り付けられている回転部と、
前記ベース部に対して前記回転部を回転自在に支持して、前記装置本体に対する前記開閉体の開閉支点となる支軸と、を備え、
前記ベース部は、前記支軸の周りに形成されたカム面を有し、
前記回転部は、前記支軸に対して接離する方向に移動自在に設けられたスライド部材と、前記スライド部材を付勢して前記カム面に圧接させる付勢部材とを有し、
前記スライド部材は、前記開閉体と共に前記支軸を中心にして回転しつつ前記カム面に摺接し、
前記カム面は、前記開閉体が前記装置本体に対して閉じられる閉成位置から、前記支軸を中心として前記開閉体が前記装置本体に対して開成位置に向かう方向に回転した第１回転角度までの範囲で前記スライド部材に圧接される第１摺接面、前記第１回転角度から、前記開閉体が更に前記開成位置に向かう方向に回転した第２回転角度までの範囲で前記スライド部材に圧接される第２摺接面、前記第２回転角度から、前記開閉体が前記開成位置に回転した第３回転角度までの範囲で前記スライド部材に圧接される第３摺接面を有し、
前記第１摺接面は、前記開閉体が閉じる方向に前記スライド部材を押し返し、前記第２摺接面は、前記開閉体が開く方向に前記スライド部材を押し返し、前記第３摺接面は、前記開閉体が閉じる方向に前記スライド部材を押し返すものである。
本発明の一局面に係る画像読取装置は、原稿を読取る読取部と、
前記読取部上に載置された前記原稿を押える原稿給送部と、を備え、
前記読取部が、上記開閉装置における装置本体であり、
前記原稿給送部が、当該開閉装置における開閉体である。
【発明の効果】
【０００９】
本発明によれば、装置本体に対して開閉体が開閉自在に支持された構成において、開閉体が大きく開かれても、衝撃が生じることがない。
【図面の簡単な説明】
【００１０】
【図１】本発明の一実施形態に係る画像読取装置を備える画像形成装置を示す断面図である。
【図２】画像読取装置を示す断面図である。
【図３】画像読取装置の外観を示す斜視図であり、原稿給送部を開いた状態を示している。
【図４】（ａ）は本実施形態の開閉装置を側方から見て示す部分断面図であり、（ｂ）は開閉装置を示す縦断面図である。
【図５】開閉装置におけるベース部を示す縦断面図である。
【図６】原稿給送部が僅かに開かれたときの開閉装置を示す縦断面図である。
【図７】原稿給送部が半開状態となったときの開閉装置を示す部分断面図である。
【図８】原稿給送部が開成される直前の開閉装置を示す縦断面図である。
【発明を実施するための形態】
【００１１】
以下、本発明の実施形態について図面を参照して説明する。
【００１２】
図１は、本発明の一実施形態に係る画像形成装置の構造を示す正面断面図である。本実施形態の画像形成装置１は、例えば、コピー機能、プリンター機能、スキャナー機能、及びファクシミリ機能等を兼ね備えた複合機である。この画像形成装置１は、装置本体２に、操作部４７、画像形成部１２０、定着部１３、給紙部１４、及び画像読取装置（ＩＳＵ;Image scanner unit）５等を備えて構成される。
【００１３】
操作部４７は、利用者により操作され、この操作に応じて画像形成動作や画像読取動作等の実行指示等を受け付ける。
【００１４】
画像読取動作を行う場合、画像読取装置５は、原稿の画像を光学的に読取って、画像データを生成する。画像読取装置５により生成された画像データは、内蔵ＨＤＤ又はネットワーク接続されたコンピューター等に保存される。
【００１５】
画像形成動作を行う場合は、上記の画像読取動作により生成された画像データ、ネットワーク接続されたコンピューターやスマートフォン等のユーザー端末装置から受信した画像データ、又は内蔵ＨＤＤに記憶されている画像データ等に基づいて、画像形成部１２０が、給紙部１４から供給される記録媒体としての記録紙Ｐにトナー像を形成する。
【００１６】
画像形成部１２０は、マゼンタ用の画像形成ユニット１２Ｍ、シアン用の画像形成ユニット１２Ｃ、イエロー用の画像形成ユニット１２Ｙ、及びブラック用の画像形成ユニット１２Ｂｋを備えている。各画像形成ユニット１２Ｍ、１２Ｃ、１２Ｙ、及び１２Ｂｋは、感光体ドラム１２２と、感光体ドラム１２２の表面を均一に帯電させる帯電装置と、感光体ドラム１２２の表面を露光して、その表面に静電潜像を形成する露光装置（ＬＳＵ;Laser scanning units）１２３と、トナーを用いて、感光体ドラム１２２の表面の静電潜像をトナー像に現像する現像装置と、１次転写ローラー１２６とをそれぞれ備えている。
【００１７】
カラー印刷を行う場合、各画像形成ユニット１２Ｍ、１２Ｃ、１２Ｙ、及び１２Ｂｋにおいては、感光体ドラム１２２の表面を均一に帯電させてから露光して、その表面にカラーの色成分の画像に対応する静電潜像を形成し、感光体ドラム１２２の表面の静電潜像を現像装置により現像して、感光体ドラム１２２上にその色成分のトナー像を形成し、トナー像を１次転写ローラー１２６により駆動ローラー１２５Ａ及び従動ローラー１２５Ｂに張架されている中間転写ベルト１２５上に１次転写させる。
【００１８】
中間転写ベルト１２５は、その外周面にトナー像が転写される像担持面が設定されており、感光体ドラム１２２の周面に当接した状態で駆動ローラー１２５Ａによって駆動される。中間転写ベルト１２５は、各感光体ドラム１２２と同期しながら、駆動ローラー１２５Ａと従動ローラー１２５Ｂとの間を無端走行する。
【００１９】
中間転写ベルト１２５上に転写される各色成分のトナー画像は、転写タイミングを調整して中間転写ベルト１２５上で重ね合わされ、カラーのトナー像となる。２次転写ローラー２１０は、中間転写ベルト１２５の表面に形成されたカラーのトナー像を、該２次転写ローラー２１０と中間転写ベルト１２５との間のニップ部Ｎにおいて給紙部１４から搬送路１９０を通じて搬送されてきた記録紙Ｐに２次転写させる。
【００２０】
この後、定着部１３で記録紙Ｐが加熱及び加圧されて、記録紙Ｐ上のトナー像が熱圧着により定着され、更に記録紙Ｐが排出ローラー対１５９を通じて排出トレイ１５１に排出される。
【００２１】
給紙部１４は、複数の給紙カセットを備えている。利用者による操作部４７の操作でいずれかの給紙カセットが指示されると、この給紙カセットのピックアップローラー１４５が回転駆動されて、記録紙Ｐが搬送路１９０へと搬送供給される。
【００２２】
次に、画像読取装置５の概略構成を説明する。図２は、画像読取装置５の機械構成を示す断面図である。また、図３は、画像読取装置５の外観を示す斜視図であり、原稿給送部（特許請求の範囲における開閉体の一例）２０が開かれた状態を示している。
【００２３】
図２及び図３に示すように、画像読取装置５は、原稿給送部２０及び読取部３０を備えている。原稿給送部２０は、原稿給紙トレイ２２、ピックアップローラー２５、搬送ローラー２６、排紙ローラー２７、及び原稿排出トレイ２８等を備えている。また、読取部３０は、第１プラテンガラス３１、第２プラテンガラス３２、白色基準板３３、キャリッジ３４、光学系ユニット３５、集光レンズ３６、及びＣＣＤ（Charge Coup光源 Device）センサー３７等を備えている。
【００２４】
ここで、読取部３０の上面３０ａの一端部には、本実施形態の開閉装置５０が２つ離間して設けられており、これらの開閉装置５０により原稿給送部２０が開閉可能に軸支されて、利用者による原稿給送部２０の開閉操作が可能にされている。
【００２５】
原稿給送部２０が閉じられた状態では、原稿給紙トレイ２２に載置された原稿ＭＳが１枚ずつ引出されて、原稿ＭＳが読取部３０の第１プラテンガラス３１上を通じて搬送される。また、原稿給送部２０が開かれたときには、読取部３０の第１プラテンガラス３１及び第２プラテンガラス３２が開放されて、読取部３０の第２プラテンガラス３２上に原稿を載置することができ、この後に原稿給送部２０が閉じられると、原稿給送部２０により第２プラテンガラス３２上に載置された原稿ＭＳが押さえられる。読取部３０は、原稿給送部２０により搬送されて第１プラテンガラス３１上を通過する原稿ＭＳまたは第２プラテンガラス３２上に載置された原稿ＭＳを光学的に読取る。
【００２６】
ところで、上記各開閉装置５０は、原稿給送部２０を開閉可能に軸支するヒンジとしての機能を果たすものであるが、これだけではなく、原稿給送部２０の閉成状態のときに、原稿給送部２０を閉じる方向に付勢して、原稿給送部２０の閉成状態を安定的に保つ。また、上記各開閉装置５０は、原稿給送部２０の半開状態のときに、原稿給送部２０を開く方向に付勢して、原稿給送部２０の自重による該原稿給送部２０の閉じる方向のモーメントに抗して原稿給送部２０の回転角度を維持し、これにより原稿給送部２０の半開状態を保つ。更に、上記各開閉装置５０は、原稿給送部２０が完全に開成されて開成状態となる直前に、原稿給送部２０を閉じる方向に付勢して、原稿給送部２０の開成方向の回転移動を抑制し、原稿給送部２０の開成時の衝撃を低減させる。
【００２７】
次に、本実施形態の開閉装置５０について詳細に説明する。図４（ａ）は開閉装置５０を側方から見て示す部分断面図であり、図４（ｂ）は開閉装置５０を示す縦断面図である。図４（ａ）、（ｂ）に示すように開閉装置５０は、読取部３０の上面３０ａの一端部に固定されたベース部５１、原稿給送部２０の下面２０ａの一端部に固定された回転部５２、及びベース部５１に対して回転部５２を回転自在に支持して、読取部３０に対する原稿給送部２０の開閉支点となる支軸５３を備えている。利用者により原稿給送部２０の手前側端部が上下動されると、原稿給送部２０側の回転部５２が支軸５３を中心にして回転し、原稿給送部２０が支軸５３を中心にして開閉される。
【００２８】
ベース部５１は、支軸５３の周りに形成されたカム面５７を有している。図５は、ベース部５１を示す縦断面図である。図５に示すようにカム面５７は、領域Ａにおける斜め下方に向く第１摺接面５７ａ、領域Ｂにおける斜め上方向又は上方向に向く第２摺接面５７ｂ、領域Ｃにおける斜め上方向に向いて急峻にせりあがる第３摺接面５７ｃ、及び領域Ｄにおける斜め上方向に向く第４摺接面５７ｄを有している。図５上では、第１摺接面５７ａ及び第２摺接面５７ｂが支軸５３よりも左側に離れて位置し、第３摺接面５７ｃが支軸５３よりも右側に離れて位置し、第４摺接面５７ｄが支軸５３付近に位置する。
【００２９】
また、図４（ａ）、（ｂ）に示すように回転部５２は、支軸５３によりベース部５１に回転自在に支持された筒状枠体５４と、筒状枠体５４の内側で支軸５３に接離する方向に移動自在に支持されたスライド部材５５と、スライド部材５５を支軸５３に接近する方向に付勢してカム面５７に圧接させる押しバネであるコイルバネ５６と、を有している。筒状枠体５４は、回転部５２の主体となるフレームであって、スライド部材５５及びコイルバネ５６を支持している。スライド部材５５は、円板状の底板５５ａと、底板５５ａの外周縁に突設された外側円筒体５５ｂと、外側円筒体５５ｂの内側で底板５５ａに突設された内側円筒体５５ｃとを有している。また、底板５５ａの底面には、支軸５３側に突出する第１凸部５５ｄ、第２凸部５５ｅ、及び第３凸部５５ｆが設けられている。コイルバネ５６は、その一端部をスライド部材５５の外側円筒体５５ｂと内側円筒体５５ｃの間に挿入されて、スライド部材５５の底板５５ａと筒状枠体５４の端板５４ａの間に挟み込まれて圧縮されている。
【００３０】
このような構成の開閉装置５０の開閉動作について、図４乃至図８を参照しつつ詳しく説明する。図６及び図８は、開閉装置５０を示す縦断面図であり、図７は、開閉装置５０を示す部分断面図である。また、図４（ａ）、（ｂ）は、原稿給送部２０が閉成状態となったときの開閉装置５０を示し、図６は、原稿給送部２０が僅かに開かれたときの開閉装置５０を示し、図７は、原稿給送部２０が半開状態となったときの開閉装置５０を示し、図８は、原稿給送部２０が開成される直前の開閉装置５０を示している。
【００３１】
まず、図４（ａ）、（ｂ）に示すように原稿給送部２０の閉成状態では、原稿給送部２０が閉成位置Ｘｃにある。このとき、回転部５２のスライド部材５５の底板５５ａが略垂直となり、底板５５ａの第１凸部５５ｄがカム面５７の第１摺接面５７ａに当接する。また、カム面５７の第１摺接面５７ａに対する底板５５ａの第１凸部５５ｄの当接箇所が支軸５３から離間しているため、第１摺接面５７ａによりスライド部材５５の底板５５ａが支軸５３から遠ざけられ、スライド部材５５の底板５５ａと筒状枠体５４の端板５４ａの間に挟み込まれているコイルバネ５６がより圧縮される。この圧縮されたコイルバネ５６の付勢力によりスライド部材５５の底板５５ａの第１凸部５５ｄがカム面５７の第１摺接面５７ａに強く圧接される。
【００３２】
そして、図５に示すように第１摺接面５７ａが斜め下方に向くことから、第１凸部５５ｄが、矢印Ｆ１で示す斜め下方の反作用力を受ける。また、第１摺接面５７ａが支軸５３よりも左側に位置している。このため、回転部５２には、支軸５３を中心とする反時計回り方向のモーメントが作用して、回転部５２が反時計回り方向に付勢され、原稿給送部２０も反時計回り方向に付勢される。従って、原稿給送部２０が閉じる方向に付勢されて、原稿給送部２０の閉成状態が安定的に維持される。
【００３３】
図６に示すように原稿給送部２０が僅かに開かれて、原稿給送部２０の回転角度が、原稿給送部２０の閉成位置Ｘｃから支軸５３を中心とする第１回転角度α１までの範囲に入る状態でも、スライド部材５５の底板５５ａの第１凸部５５ｄがカム面５７の第１摺接面５７ａに当接するので、回転部５２が反時計回り方向に付勢される。このため、原稿給送部２０が速やかに閉成されることとなる。第１回転角度α１は、原稿給送部２０が読取部３０に対して閉じられている閉成位置から、支軸５３を中心として原稿給送部２０が読取部３０に対して開成位置に向かう方向に回転した位置を示す角度である。
【００３４】
次に、原稿給送部２０が更に開かれて、原稿給送部２０の回転角度が、支軸５３を中心とする第１回転角度α１を超えると、回転部５２のスライド部材５５の第１凸部５５ｄがカム面５７の第１摺接面５７ａと第２摺接面５７ｂの間の頂部５７ｆを超えて該第２摺接面５７ｂに摺接する。
【００３５】
また、図７に示すように原稿給送部２０の回転角度が、支軸５３を中心とする第２回転角度α２に達するまで、回転部５２のスライド部材５５の第１凸部５５ｄがカム面５７の第２摺接面５７ｂに摺接し続ける。第２回転角度α２は、第１回転角度α１の位置から、支軸５３を中心として原稿給送部２０が読取部３０に対して更に開成位置に向かう方向に回転した位置を示す角度である。
【００３６】
従って、原稿給送部２０の回転角度が、第１回転角度α１を超えて第２回転角度α２に達するまでは、つまり原稿給送部２０の半開状態では、スライド部材５５の第１凸部５５ｄがカム面５７の第２摺接面５７ｂに摺接する。
【００３７】
この原稿給送部２０の半開状態でも、スライド部材５５の底板５５ａと筒状枠体５４の端板５４ａの間でコイルバネ５６が圧縮されており、この圧縮されたコイルバネ５６の付勢力によりスライド部材５５の底板５５ａの第１凸部５５ｄがカム面５７の第２摺接面５７ｂに圧接される。
【００３８】
そして、図５に示すように第２摺接面５７ｂが斜め上方又は上方向に向くことから、第１凸部５５ｄが、矢印Ｆ２で示す斜め上方向又は上方向の反作用力を受ける。また、第２摺接面５７ｂが支軸５３よりも左側に位置している。このため、回転部５２には、支軸５３を中心とする時計回り方向のモーメントが作用して、回転部５２が時計回り方向に付勢され、原稿給送部２０も時計回り方向に付勢される。これにより、原稿給送部２０の自重による該原稿給送部２０の閉じる方向（反時計回り方向）のモーメントに抗して原稿給送部２０の回転角度が概ね維持されて、原稿給送部２０の半開状態が保たれる。すなわち、原稿給送部２０の開操作が途中で停止されても、この停止されたときの原稿給送部２０の回転角度が保たれる。
【００３９】
更に、図７に示すように原稿給送部２０の回転角度が第２回転角度α２に達したときには、スライド部材５５の底板５５ａが支軸５３に接近して、スライド部材５５の底板５５ａと筒状枠体５４の端板５４ａの間でのコイルバネ５６の圧縮程度が緩和され、コイルバネ５６の付勢力に基づき回転部５２に作用する時計回り方向のモーメントが小さくなる。ただし、スライド部材５５の第１凸部５５ｄがカム面５７の第２摺接面５７ｂに当接するだけではなく、スライド部材５５の第２凸部５５ｅがカム面５７の第３摺接面５７ｃの端部に当接し、スライド部材５５の第３凸部５５ｆがカム面５７の第４摺接面５７ｄに当接する。従って、スライド部材５５の３か所がカム面５７に当接して、回転部５２が３点支持されることとなり、原稿給送部２０の回転角度が確実に維持されて、原稿給送部２０の半開状態が安定的に保たれる。
【００４０】
次に、原稿給送部２０がより開かれて、原稿給送部２０の回転角度が、支軸５３を中心とする第２回転角度α２を超えて、原稿給送部２０の開成位置Ｘｏでの第３回転角度α３に到達するまでは、回転部５２のスライド部材５５の第２凸部５５ｅがカム面５７の第３摺接面５７ｃに摺接する。第３回転角度α３は、原稿給送部２０が開成状態の位置まで回転したときの角度である。
【００４１】
図８に示すように原稿給送部２０の回転角度が第３回転角度α３に到達する直前、つまり原稿給送部２０が開成状態となる直前には、回転部５２のスライド部材５５の第２凸部５５ｅがカム面５７の第３摺接面５７ｃに摺接しつつ上方向に移動し、スライド部材５５の底板５５ａが支軸５３から遠ざけられて、スライド部材５５の底板５５ａと筒状枠体５４の端板５４ａの間でコイルバネ５６が再び圧縮され、この圧縮されたコイルバネ５６の付勢力によりスライド部材５５の底板５５ａの第２凸部５５ｅがカム面５７の第３摺接面５７ｃに強く圧接される。
【００４２】
そして、図５に示すように第３摺接面５７ｃが斜め上方に向くことから、第２凸部５５ｅが、矢印Ｆ３で示す斜め上方向の反作用力を受ける。また、第３摺接面５７ｃが支軸５３よりも右側に位置している。このため、回転部５２には、支軸５３を中心とする反時計回り方向のモーメントが作用して、回転部５２が反時計回り方向に付勢され、原稿給送部２０も時計回り方向に付勢される。
【００４３】
更に、原稿給送部２０の回転角度が第３回転角度α３に近づくほど、底板５５ａが上方向に移動して支軸５３からより遠ざけられ、コイルバネ５６がより大きく圧縮されて、コイルバネ５６の付勢力が大きくなり、底板５５ａの第２凸部５５ｅがカム面５７の第３摺接面５７ｃにより強く圧接されて、回転部５２に作用する反時計回り方向のモーメントがより大きくなる。
【００４４】
従って、原稿給送部２０が開成状態となる直前には、原稿給送部２０が開くほど、原稿給送部２０に対して該原稿給送部２０が閉じる方向（反時計回り方向）のより大きなモーメントが作用することとなり、これにより原稿給送部２０の開成方向の回転移動が抑制されて、原稿給送部２０の開成時の衝撃が低減される。
【００４５】
このように本実施形態では、原稿給送部２０の閉成状態及び該原稿給送部２０が僅かに開かれた状態では、スライド部材５５の底板５５ａの第１凸部５５ｄがカム面５７の第１摺接面５７ａに摺接して、回転部５２が反時計回り方向に付勢されるため、原稿給送部２０が速やかに閉成されると共に、この閉成状態が安定的に維持される。また、原稿給送部２０の半開状態では、スライド部材５５の第１凸部５５ｄがカム面５７の第２摺接面５７ｂに摺接して、回転部５２が時計回り方向に付勢されるため、原稿給送部２０の自重による該原稿給送部２０の閉じる方向（反時計回り方向）のモーメントに抗して原稿給送部２０の回転角度が概ね維持されて、原稿給送部２０の半開状態が保たれる。更に、原稿給送部２０が完全に開成されて開成状態となる直前には、回転部５２のスライド部材５５の第２凸部５５ｅがカム面５７の第３摺接面５７ｃに摺接して、回転部５２が反時計回り方向に付勢されるため、原稿給送部２０の開成方向の回転移動が抑制されて、原稿給送部２０の開成時の衝撃が低減される。
【００４６】
なお、上記実施形態では、本発明の開閉装置を画像読取装置の原稿給送部を開閉自在に支持するために適用しているが、他の種類の開閉体を開閉自在に支持するために適用しても構わない。
【００４７】
また、上記実施形態では、本発明に係る画像形成装置の一実施形態としてカラー複合機を用いて説明しているが、これは一例に過ぎず、モノクロ複合機や他の電子機器、例えば、プリンター、コピー機、ファクシミリ装置等の他の画像形成装置でもよい。
【００４８】
また、図１乃至図８を用いて説明した上記各実施形態の構成及び処理は、本発明の一実施形態に過ぎず、本発明を当該構成及び処理に限定する趣旨ではない。
【符号の説明】
【００４９】
１        画像形成装置
２        装置本体
５        画像読取装置
１３      定着部
１４      給紙部
２０      原稿給送部
３０      読取部
４７      操作部
５０      開閉装置
５１      ベース部
５２      回転部
５３      支軸
５４      筒状枠体
５５      スライド部材
５６      コイルバネ
５７      カム面
【図１】
0006350471.tif 000002
【図２】
0006350471.tif 000003
【図３】
0006350471.tif 000004
【図４】
0006350471.tif 000005
【図５】
0006350471.tif 000006
【図６】
0006350471.tif 000007
【図７】
0006350471.tif 000008
【図８】
0006350471.tif 000009